(57)【要約】【課題】容易に操作可能な画像表示装置を提供する。【解決手段】本発明の画像表示装置１は、表示部２０と、該表示部２０に画像を投影する画像投影部３０と、外部装置への信号出力部６４と、を備える画像表示装置１であって、該画像表示装置１に対して行われる操作を検出する操作検出部４０，５０，６２と、前記操作が、前記表示部２０の駆動に関する第一操作か、前記外部装置の駆動に関する第二操作かを判別し、前記操作が前記第一操作と判別された場合、該操作の内容に応じて前記表示部２０を駆動し、前記操作が前記第二操作と判別された場合に、該操作の内容に応じた駆動信号を前記信号出力部６４より前記外部装置へ出力する制御部６０と、を備えること、を特徴とする。【選択図】図１
2013117902.tif 000002
【特許請求の範囲】
【請求項１】
表示部と、
該表示部に画像を投影する画像投影部と、
外部装置への信号出力部と、を備える画像表示装置であって、
該画像表示装置に対して行われる操作を検出する操作検出部と、
前記操作が、前記表示部の駆動に関する第一操作か、前記外部装置の駆動に関する第二操作かを判別し、前記操作が前記第一操作と判別された場合、該操作の内容に応じて前記表示部を駆動し、前記操作が前記第二操作と判別された場合に、該操作の内容に応じた駆動信号を前記信号出力部より前記外部装置へ出力する制御部と、
を備えること、を特徴とする画像表示装置。
【請求項２】
表示部と、
該表示部に画像を投影する画像投影部と、
音声生成部と、を備える画像表示装置であって、
該画像表示装置に対して行われる操作を検出する操作検出部と、
前記操作が前記表示部の駆動に関する第一操作か、前記音声生成部の駆動に関する第二操作かを判別し、前記操作が前記第一操作と判別された場合、該操作の内容に応じて前記表示部を駆動し、前記操作が前記第二操作と判別された場合に、該操作の内容に応じて前記音声生成部を駆動する制御部と、
を備えること、を特徴とする画像表示装置。
【請求項３】
請求項１または２に記載の画像表示装置であって、
前記画像表示装置に対する操作は、前記表示部に対して接触することで行われ、
前記制御部は、該接触の際の接触面積に基づいて、前記第一操作か前記第二操作かを判別すること、
を特徴とする画像表示装置。
【請求項４】
請求項１または２に記載の画像表示装置であって、
前記画像表示装置に対する操作は、前記表示部に対して接触することで行われ、
前記制御部は、該接触の際の接触個数が４以上のときに、前記操作が前記第二操作であると判別すること、
を特徴とする画像表示装置。
【請求項５】
請求項１または２に記載の画像表示装置であって、
前記画像表示装置に対する操作は、前記表示部に対して接触することで行われ、
前記制御部は、該接触の際の接触形状に基づいて、前記第一操作か前記第二操作かを判別すること、
を特徴とする画像表示装置。
【請求項６】
請求項１または２に記載の画像表示装置であって、
前記画像表示装置に対する操作は、前記表示部に対して接触することで行われ、
前記操作が行われる際において前記表示部に対して加えられた押下圧力を検出する圧力検出部を有し、
前記制御部は、前記押下圧力に基づいて、前記第一操作が、前記第二操作かを判別すること、
を特徴とする画像表示装置。
【請求項７】
請求項１〜６のいずれか１項に記載の画像表示装置であって、
前記制御部は、現在行われている操作が第一操作か第二操作かを示す表示を、前記表示部の周縁部に表示すること、
を特徴とする画像表示装置。
【請求項８】
請求項１〜７のいずれか１項に記載の画像表示装置であって、
前記操作検出部は、前記画像表示装置の移動量を検出する移動量検出部（５０）を備え、
前記制御部は、前記操作が前記第二操作と判別された場合、前記移動量に基づく駆動信号を出力信号出力部より外部装置へ出力し、又は、該移動量に基づいて音声生成部を駆動すること、
を特徴とする画像表示装置。
【請求項９】
請求項１〜８のいずれか１項に記載の画像表示装置であって、
前記画像表示装置の前記操作による移動を規制および規制解除可能な移動規制部を備え、
前記制御部は、
前記操作が前記第一操作であると判別された場合、前記移動規制部による移動規制を行い、
前記操作が前記第二操作であると判別された場合、前記移動規制部による移動規制を解除すること、
を特徴とする画像表示装置。
【請求項１０】
請求項１〜９のいずれか１項に記載の画像表示装置であって、
前記表示部は、
内部を光が伝播する導光板と、該導光板における前記画像投影部と対向する内面も受けられた光散乱層と、を有し、
前記操作検出部は、
前記導光板の内部に検出光を照射する光源と、
前記導光板の外面への検出対象操作部材の当接による前記導光板の内部を伝播する前記検出光の散乱光を検出する散乱光検出部と、
を備えること、を特徴とする画像表示装置。
【請求項１１】
表示部と、
該表示部に画像を投影する画像投影部と、
外部装置への信号出力部と、を備える画像表示装置であって、
該画像表示装置に対して行われる操作を検出する操作検出部と、
前記操作検出部により検出された操作に対応する信号を出力する出力部と、
を備えること、を特徴とする画像表示装置。
【発明の詳細な説明】
【技術分野】
【０００１】
本発明は、画像表示と入力とが可能な画像表示装置に関するものである。
【背景技術】
【０００２】
従来、デジタル画像等を表示する画像表示装置として、画像表示面を接触操作することで表示を操作することができるものが知られている（例えば、特許文献１参照）。
【先行技術文献】
【特許文献】
【０００３】
【特許文献１】特開２００７−０１１２７６号公報
【発明の概要】
【発明が解決しようとする課題】
【０００４】
しかし、上記従来技術のような、表示を操作可能な画像表示装置では、操作可能な範囲は表示範囲内に限られ、画面を大きく移動する場合のような広範囲に亘る操作は煩雑なものである。
【０００５】
本発明の課題は、容易に操作可能な画像表示装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、表示部（２０）と、該表示部（２０）に画像を投影する画像投影部（３０）と、外部装置への信号出力部（６４）と、を備える画像表示装置（１）であって、該画像表示装置（１）に対して行われる操作を検出する操作検出部（４０，５０，６２）と、前記操作が、前記表示部（２０）の駆動に関する第一操作か、前記外部装置の駆動に関する第二操作かを判別し、前記操作が前記第一操作と判別された場合、該操作の内容に応じて前記表示部（２０）を駆動し、前記操作が前記第二操作と判別された場合に、該操作の内容に応じた駆動信号を前記信号出力部（６４）より前記外部装置へ出力する制御部（６１）と、を備えること、を特徴とする画像表示装置（１，２，３，４）である。
請求項２に記載の発明は、表示部（２０）と、該表示部（２０）に画像を投影する画像投影部（３０）と、音声生成部（８０）と、を備える画像表示装置（５）であって、該画像表示装置（１）に対して行われる操作を検出する操作検出部（４０，５０，６２）と、前記操作が前記表示部（２０）の駆動に関する第一操作か、前記音声生成部（８０）の駆動に関する第二操作かを判別し、前記操作が前記第一操作と判別された場合、該操作の内容に応じて前記表示部（２０）を駆動し、前記操作が前記第二操作と判別された場合に、該操作の内容に応じて前記音声生成部（８０）を駆動する制御部（６１）と、を備えること、を特徴とする画像表示装置（５）である。
請求項３に記載の発明は、請求項１または２に記載の画像表示装置（１，２，３，４）であって、前記画像表示装置（１，２，３，４）に対する操作は、前記表示部（２０）に対して接触することで行われ、前記制御部（６１）は、該接触の際の接触面積に基づいて、前記第一操作か前記第二操作かを判別すること、を特徴とする画像表示装置（１，２，３，４）である。
請求項４に記載の発明は、請求項１または２に記載の画像表示装置（１，２，３，４）であって、前記画像表示装置（１，２，３，４）に対する操作は、前記表示部（２０）に対して接触することで行われ、前記制御部（６１）は、該接触の際の接触個数が４以上のときに、前記操作が前記第二操作であると判別すること、を特徴とする画像表示装置（１，２，３，４）である。
請求項５に記載の発明は、請求項１または２に記載の画像表示装置（１，２，３，４）であって、前記画像表示装置（１，２，３，４）に対する操作は、前記表示部（２０）に対して接触することで行われ、前記制御部（６１）は、該接触の際の接触形状に基づいて、前記第一操作か前記第二操作かを判別すること、を特徴とする画像表示装置（１，２，３，４）である。
請求項６に記載の発明は、請求項１または２に記載の画像表示装置（２）であって、前記画像表示装置（２）に対する操作は、前記表示部（２０）に対して接触することで行われ、前記操作が行われる際において前記表示部（２０）に対して加えられた押下圧力を検出する圧力検出部（７０）を有し、前記制御部（６１）は、前記押下圧力に基づいて、前記第一操作が、前記第二操作かを判別すること、を特徴とする画像表示装置（１）である。
請求項７に記載の発明は、請求項１〜６のいずれか１項に記載の画像表示装置（１）であって、前記制御部（６１）は、現在行われている操作が第一操作か第二操作かを示す表示を、前記表示部（２０）の周縁部に表示すること、を特徴とする画像表示装置（２）である。
請求項８に記載の発明は、請求項１〜７のいずれか１項に記載の画像表示装置（１）であって、前記操作検出部は、前記画像表示装置（１）の移動量を検出する移動量検出部（５０）を備え、前記制御部（６１）は、前記操作が前記第二操作と判別された場合、前記移動量に基づく駆動信号を出力信号出力部（６４）より外部装置へ出力し、又は、該移動量に基づいて音声生成部（８０）を駆動すること、を特徴とする画像表示装置（１）である。
請求項９に記載の発明は、請求項１〜８のいずれか１項に記載の画像表示装置（４）であって、前記画像表示装置（４）の前記操作による移動を規制および規制解除可能な移動規制部（９０）を備え、前記制御部（６１）は、前記操作が前記第一操作であると判別された場合、前記移動規制部（９０）による移動規制を行い、前記操作が前記第二操作であると判別された場合、前記移動規制部（９０）による移動規制を解除すること、を特徴とする画像表示装置（４）である。
請求項１０に記載の発明は、請求項１〜９のいずれか１項に記載の画像表示装置（１，２，３，４）であって、前記表示部（２０）は、内部を光が伝播する導光板（２１）と、該導光板（２１）における前記画像投影部（３０）と対向する内面も受けられた光散乱層（２２）と、を有し、前記操作検出部（４０，５０，６２）は、前記導光板（２１）の内部に検出光を照射する光源（４１）と、前記導光板（２１）の外面への検出対象操作部材の当接による前記導光板（２１）の内部を伝播する前記検出光の散乱光を検出する散乱光検出部（４２）と、を備えること、を特徴とする画像表示装置（１，２，３，４）である。
請求項１１に記載の発明は、表示部（２０）と、該表示部（２０）に画像を投影する画像投影部（３０）と、外部装置への信号出力部（６４）と、を備える画像表示装置（１，２，３，４）であって、該画像表示装置（１）に対して行われる操作を検出する操作検出部（４０，５０，６２）と、前記操作検出部（４０，５０，６２）により検出された操作に対応する信号を出力する出力部（６５）と、を備えること、を特徴とする画像表示装置（１，２，３，４）である。
【発明の効果】
【０００８】
本発明によれば、容易に操作可能な画像表示装置を提供できる。
【図面の簡単な説明】
【０００９】
【図１】本発明の一実施形態である画像表示装置の概念構成図である。
【図２】モード操作制御部による操作モード判定の説明図である。
【図３】表示部への操作モードの表示の説明図である。
【図４】本発明の第２実施形態における画像表示装置の概念構成図である。
【図５】本発明の第３実施形態における画像表示装置の概念構成図である。
【図６】本発明の第４実施形態における画像表示装置の概念構成図である。
【図７】本発明の第５実施形態における画像表示装置の概念構成図である。
【発明を実施するための形態】
【００１０】
（第１実施形態）
以下、図面等を参照して、本発明の実施形態について説明する。図１は、本発明の一実施形態である画像表示装置１を示す。図２は、制御部６０による操作モード判定の説明図である。図３は、表示部２０による操作モードの表示の説明図である。
【００１１】
画像表示装置１は、表示部２０に表示した画像をタッチ操作することで表示に対して操作する表示操作モード（以下タッチモードと呼ぶ）と、当該画像表示装置１に接続された外部装置１００の操作が可能な移動操作モード（以下マウスモードと呼ぶ）の、２つの操作モードを切り換えて操作可能に構成されている。
【００１２】
画像表示装置１は、表示入力部１０と、制御部６０とを備える。
表示入力部１０は、全体形状が略直方体状の筐体１１と、筐体１１の上面に配設された表示部２０と、を備えている。筐体１１の内部には、画像投影部３０と、タッチ操作検出部４０および移動量検出部５０が配設されている。
制御部６０は、当該画像表示装置１を統括制御するものであり画素入力部１０から出力部６５を介して接続されている。
【００１３】
表示部２０は、筐体１１の上面略全体を覆うように配設された板状の表示板２１と、その内面（筐体１１の内部に対向する面）に形成されたスクリーン２２と、により構成されている。
表示板２１は、たとえば透明アクリルやポリカーボネート等、可視光および赤外光を透過可能な素材によって所定厚さに形成されており、その板面方向に全反射を利用して導光可能となっている。
スクリーン２２は、表示板２１の内面に、照射された可視光を乱反射するように形成された光散乱層である。
そして、表示部２０は、後述する画像投影部３０から投射された画像光をスクリーン２２で散乱させて、表示板２１の外面側から視認可能に表示する。
【００１４】
画像投影部３０は、詳細には示さないが、投射光源と画像透光表示部と光学系とにより構成されており、画像光を表示板２１（スクリーン２２）に向けて投射するように、筐体１１の内部所定位置に配設されている。画像投影部３０は、後述する制御部６０（画像処理装置６２）から入力される画像情報の画像光をスクリーン２２に投射する。
【００１５】
タッチ操作検出部４０は、検出光源４１と、検出光受光装置４２と、により構成されている。
検出光源４１は、検出光としての赤外光（検出赤外光）を出射する光源であって、表示部２０における表示板２１の側端面に、表示板２１の内部に検出赤外光を照射するように配設されている。検出光源４１によって表示板２１の側端面から内部に照射された検出赤外光は、表示板２１の内外面で全反射を繰り返して反対側の側端に至るようになっている。
検出光受光装置４２は、詳しくは図示しないが、結像光学系と受光素子等とを備え、検出光源４１が出射する波長の検出赤外光を画像として撮影可能ないわゆる赤外線カメラである。検出光受光装置４２は、スクリーン２２の全域を撮影可能として、筐体１１の内部所定位置に配設されている。
【００１６】
上記のように構成されたタッチ操作検出部４０は、表示部２０における表示板２１の外面への操作主体である手（指または掌等）の接触による検出赤外光の散乱を、検出光受光装置４２が撮像する。すなわち、表示板２１の外面に手等が接触すると、その接触部分では表示板２１の内部における検出赤外光の反射光路に乱が生じ、検出赤外光が表示板２１の内面側に漏出する。検出光受光装置４２は、この表示板２１の内面側に漏出した検出赤外光を撮像する。
そして、タッチ操作検出部４０は、検出光受光装置４２による、表示板２１の外面への手の接触情報が含まれる撮像情報を、出力部６５を介して制御部６０に出力する。
【００１７】
移動量検出部５０は、本実施形態では、当該画像表示装置１が設置された面（設置面）を照射する赤外光源５１と、赤外光源５１が照射した赤外光の設置面からの反射光を受光する受光部５２とにより構成されている。移動量検出部５０は、受光部５２が受光した設置面からの赤外反射光の変化から、受光部５２の移動（すなわち、画像表示装置１の移動）を検出し、その検出情報（移動情報）を制御部６０（ＣＰＵ６１）へ出力する。
【００１８】
制御部６０は、ＣＰＵ６１、画像処理装置６２、メモリ６３、ストレージ６６、外部機器１００へと接続される出力ケーブル６４、等を備えて構成されている。制御部６０は、メモリ６３に格納されたプログラムによるＣＰＵ６１の駆動によって、ストレージ６６に格納された画像情報を画像処理装置６２で処理して画像投影部３０に出力し、画像投影部３０を介して表示部２０に表示させる。
【００１９】
また、制御部６０は、タッチ操作検出部４０（検出光受光装置４２）から入力された表示板２１の外面への接触操作情報が含まれる撮像を解析し、操作モード（タッチモードまたはマウスモード）の判定と、それぞれの制御とを行う。
【００２０】
画像処理装置６２は、タッチ操作検出部４０（検出光受光装置４２）から入力された表示板２１の撮像を解析し、操作モード判定のための判定基礎情報を作成する。
本実施形態における操作モード判定のための判定基礎情報は、表示部２０における表示板２１の外面に手が接触した、その位置、接触面積、数等である。
画像処理装置６２は、作成したこれらの判定基礎情報を、ＣＰＵ６１に出力する。
【００２１】
ＣＰＵ６１は、画像処理装置６２から入力された判定基礎情報に基づいて操作モード（タッチモードまたはマウスモード）の判定を行うと共に、それぞれの制御を行う。
ＣＰＵ６１による操作モードの判定は、たとえば、表示部２０における表示板２１の外面に手が接触したその接触領域の面積を定められた判定基準（基準面積）と比較し、接触領域の面積が基準面積を越えない場合にはタッチモードと判定し、接触面積が基準面積を越える場合にはマウスモードと判定する。
【００２２】
すなわち、図２（ａ），（ｂ）に示すように表示板２１を指先で操作している場合には接触領域：ＴＡ（Ｓ）の面積は合計しても小さく、タッチモードと判定する。一方、画像表示装置１全体を移動操作しようとして掴んだ場合には、図２（ｃ）に示すように表示板２１に掌が接触して接触領域：ＴＡ（Ｌ）の面積は大きくなるため、マウスモードと判定するものである。
【００２３】
また、操作モードの判定は、接触領域の数に基づいて行っても良い。たとえば、図２（ｄ）に示すように、接触領域：ＴＡが４箇所以上でマウスモードと判定する等である。なお、接触面積と接触領域の数との両者を加味した判定基準を定めても良い。
【００２４】
さらに、ＣＰＵ６１は、操作モード判定によってマウスモードと判定した場合には、加えて操作する手の向きを識別して操作の前後方向を判別するようにしても良い。すなわち、画像表示装置１を移動操作しようとして表示部２０（表示板２１）に手を置くと、図２（ｄ）に示すように、指先による複数の小さい接触領域：ＴＡ（Ｓ）と、掌による広い接触領域：ＴＡ（Ｌ）とが検出される。そこで、複数の小さい接触領域：ＴＡ（Ｓ）の側を前方側：Ｆ、広い接触領域：ＴＡ（Ｌ）の側を手前（後方）側：Ｒ、と識別して移動座標を設定し、以後、その移動座標に基づいて制御する。
【００２５】
また、ＣＰＵ６１は、図３に示すように、適用する操作モード（タッチモードまたはマウスモード）を、操作する手によって隠されることのない表示部２０（表示板２１）の周辺部に表示する。これにより、操作者に適用操作モードが解り、誤操作を防ぐことができる。図３では、マウスのシンボル：Ｓと文字表記：Ｌとによってマウスモードを表示している。
なお、適用する操作モードを操作者に認識させる制御としては、表示部２０における表示をＯＦＦとする構成としても良い。マウスモードでは表示部２０が手で覆われて視認が困難となって表示部２０における表示の必要性は少なく、これによって省電力にもなる。
【００２６】
ＣＰＵ６１は、上記のようにして操作モードを判定した後、その判定結果に応じてタッチモードまたはマウスモードのそれぞれの制御を行う。
タッチモードでは、タッチ操作検出部４０から入力された検出光受光装置４２の撮像から、手の表示板２１の外面への接触とその移動を解析し、その接触および移動を、表示板２１に表示された画像（たとえばサムネイル等）に対するクリックや、表示画像の拡大・縮小および移動操作として認識して制御する。
マウスモードでは、移動量検出部５０から入力された当該画像表示装置１の移動情報に基づく信号を、出力ケーブル６４を介して接続された外部装置１００に出力し、外部装置１００を操作する。
【００２７】
なお、制御部６０における、表示入力部１０との接続は、有線または無線の何れによっても良く、また、制御部６０は表示入力部１０の内部（筐体１１の内部）に配設しても良い。さらに、制御部６０は、パーソナルコンピュータによって構成しても良い。
【００２８】
上記にように構成された画像表示装置１は、制御部６０におけるＣＰＵ６１がタッチモードとマウスモードとを判定し、タッチモードでは表示部２０に表示された画像に接触すること画像と対応した入力が可能であると共に、マウスモードでは当該画像表示装置１を移動させることで、外部装置１００の操作が可能となる。これにより、表示装置とマウスとの両方の機能を有するものとなる。
【００２９】
（第２実施形態）
つぎに、図４示す本発明の第２実施形態を説明する。
図４は、本発明の第２実施形態における画像表示装置２の概念構成図である。
なお、第２実施形態における画像表示装置２の基本構成は前述した第１実施形態における画像表示装置１と同様であり、同様の構成要素には同符号を付して説明を省略する。
図２に示す画像表示装置２は、筐体１１と、筐体１１の上部に配設された表示部２０と、画像投影部３０と、タッチ操作検出部４０と、移動量検出部５０と、圧力センサ７０と、制御部６０と、を備えている。また、画像表示装置２には、ディスプレイ１０１が接続されている。
【００３０】
表示部２０における表示板２１は、所定の板厚で中空半球状に形成されており、その内周面全域にスクリーン２２が形成されている。
画像投影部３０は、投射表示部３１と、投影受光光学系３２とにより構成されている。
投射表示部３１は、ＬＣＤによる画像透光表示部と図示しない投射光源とにより構成されている。
【００３１】
投影受光光学系３２は、画角が略１８０°の魚眼レンズである対物レンズ３２Ａを備えており、表示部２０の全域を画角内として配設されている。
そして、投影受光光学系３２は、画像光を表示板２１（スクリーン２２）に向けて投射するように、半球状の表示部２０の略中心に配設されている。投影受光光学系３２は、制御部６０（画像処理装置６２）から入力される画像情報の画像光をスクリーン２２に投射する。なお、この投影受光光学系３２は、タッチ操作検出部４０の入射光学系も兼ねている。
【００３２】
タッチ操作検出部４０は、検出光源４１と、検出光受光装置４２とにより構成されている。
検出光源４１は、表示部２０における表示板２１の側端面に、表示板２１の内部に検出赤外光を照射するように配設されている。検出光源４１によって表示板２１の側端面から内部に照射された検出赤外光は、表示板２１の内外面で全反射を繰り返して反対側の側端に至るようになっている。
【００３３】
検出光受光装置４２は、ダイクロイックミラー４２Ｍと、ＣＣＤ等による赤外光受光センサ４２Ｓとにより構成されている。
ダイクロイックミラー４２Ｍは、特定波長の赤外光（検出光源４１が出射する検出赤外光）のみを反射し可視光は透過する周波数特性を備えた反射鏡である。ダイクロイックミラー４２Ｍは、投影受光光学系３２における投射表示部３１と投影受光光学系３２の間の光路中に、光路に対して所定の角度で介設されている。
赤外光受光センサ４２Ｓは、投影受光光学系３２から入射してダイクロイックミラー４２Ｍによって反射された検出光源４１由来の検出赤外光を検出可能に配設されている。
このような検出光受光装置４２は、画像投影部３０と投影受光光学系３２を共用するため、全体をコンパクトに構成できると共に、画像の歪み補正が不要または容易である。
【００３４】
移動量検出部５０は、筐体１１の底部に回転自在に設けられたボール５３と、ボール５３の直交する２方向における回転を検出する図示しないセンサとを備え、筐体１１（すなわち画像表示装置２）の移動に伴うボール５３の回転をセンサによって検出して出力する、いわゆるトラックボールである。
【００３５】
圧力センサ７０は、筐体１１と表示部２０における表示板２１との間に介設されている。圧力センサ７０は、表示板２１に作用する押圧力を検出して、その検出情報を制御部６０に出力する。
なお、表示板２１に作用する押圧力を検出する構成としては、圧力センサ７０に限らず、所定の押圧力でＯＮ／ＯＦＦするスイッチを用いても良い。また、その配設位置は、たとえば、筐体１１の裏面として、設置面との間に介在する構成であっても良い。
【００３６】
ディスプレイ１０１は、マウスモードでは表示部２０が手で覆われて視認が困難となるため、表示部２０に代わって画像等を表示する。そして、その画面上にマウスモードの操作をポインタで表すことで操作性が向上する。
【００３７】
制御部６０は、圧力センサ７０から入力される表示部２０（表示板２１）に作用する押圧力の検出情報に基づいて、操作モード（タッチモードまたはマウスモード）を判定し、それぞれの制御を行う。
操作モードの判定は、圧力センサ７０から入力される表示板２１に作用する押圧力を判定基準（閾値）と比較し、押圧力が定められた基準圧力を越えない場合にはタッチモードと判定し、押圧力が基準圧力を越える場合にはマウスモードと判定する。
【００３８】
すなわち、表示板２１を指先で操作している場合には作用する押圧力は小さいためにタッチモードとし、画像表示装置１全体を移動操作しようとして掴んだ場合には少なくとも手の重量が作用して押圧力が大きくなるためにマウスモードと判定する。
【００３９】
制御部６０は、上記のようにして操作モードを判定した後、その判定結果に応じてタッチモードまたはマウスモードのそれぞれの制御を行う。この制御については、前述の第１実施形態と同様であるが、マウスモードの場合には、ディスプレイ１０１上に表示部２０に代わって画像等を表示し、その画面上にマウスモードの操作をポインタで表示する。
【００４０】
（第３実施形態）
つぎに、図５示す本発明の第３実施形態を説明する。
図５は、本発明の第３実施形態における画像表示装置３の概念構成図である。
なお、第３実施形態における画像表示装置３の基本構成は前述した第２実施形態における画像表示装置２と同様であり、同様の構成要素には同符号を付して説明を省略する。
【００４１】
第３実施形態に係る画像表示装置３は、前述した第２実施形態おける画像表示装置２に対して、筐体１１の形状と、圧力センサ７０の構成が異なる。
画像表示装置３は、タッチモードにおいて手（掌）１００を置くためのパームレスト１２を備えている。
すなわち、筐体１１の一方側方に突設された、上面が外側に向かって下がり勾配のパームレスト１２が形成されている。
【００４２】
パームレスト１２の上面には、圧力センサ７０が設けられている。
圧力センサ７０は、パームレスト１２に置かれた手１１０の圧力を検知し、その検知情報を制御部６０に出力する。
制御部６０は、圧力センサ７０からパームレスト１２に置かれた手１１０の圧力検知情報が入力されると、マウスモードと判定するものである。
なお、パームレスト１２に置かれた手１１０の検出は、圧力センサに限らず、押圧スイッチや赤外線感知スイッチ等であっても良い。
【００４３】
（第４実施形態）
つぎに、図６示す本発明の第４実施形態を説明する。
図６は、本発明の第４実施形態における画像表示装置４の概念構成図である。
なお、第４実施形態における画像表示装置４の基本構成は前述した第２実施形態における画像表示装置２と同様であり、同様の構成要素には同符号を付して説明を省略する。
第４実施形態に係る画像表示装置４は、前述した第２実施形態おける画像表示装置２に加えて、タッチモード時において当該画像表示装置４の移動を規制する移動規制機構９０を備える。
【００４４】
移動規制機構９０は、筐体１１の底部に設けられたスライドパッド９１と、スライドパッド９１を移動駆動するアクチュエータ９２と、により構成されている。
スライドパッド９１は、摩擦係数が小さく耐摩耗性の高い素材（たとえばポリアセタール樹脂等）によって形成され、筐体１１の内部に引っ込んだ退避状態と、筐体１１の底面から所定量突出した作用状態との間で移動可能に設けられている。
アクチュエータ９２は、たとえば電気的に駆動するソレノイド等であり、制御部６０によって駆動制御され、スライドパッド９１を、筐体１１の内部に引っ込んだ退避状態から、底面から突出した作用状態に移動操作する。
【００４５】
制御部６０は、操作モード判定によってタッチモードと判定した場合には、スライドパッド９１を退避状態とし、マウスモードと判定した場合には、アクチュエータ９２を駆動してスライドパッド９１を筐体１１の底面から突出させる。
これにより、タッチモードでは筐体１１の底面全体が設置面に当接して移動しづらく安定した操作が可能となると共に、マウスモードではスライドパッド９１のみが設置面に当接して円滑な移動が可能となる。
【００４６】
（第５実施形態）
つぎに、図７示す本発明の第５実施形態を説明する。
図６は、本発明の第５実施形態における画像表示装置５の概念構成図である。
なお、第５実施形態における画像表示装置５の基本構成は前述した第１実施形態における画像表示装置１と同様であり、同様の構成要素には同符号を付して説明を省略する。
【００４７】
第５実施形態に係る画像表示装置５は、前述した第１実施形態における画像表示装置１に加えて、音声生成部８０を備える。
音声生成部８０は、ＣＰＵ６１に接続され、ストレージ６６に保存されている楽曲を表示入力装置２より流すことが可能となっている。
第５実施形態においてマウスモードの際に、移動量検出部５０から入力された当該画像表示装置１の移動情報に基づくＣＰＵ６１からの指令によって、音声生成部８０における楽曲が変更され、または音声の強弱の変更等が行われる。
【００４８】
以上、本実施形態によると、以下の効果を有する。
（１）本発明の画像表示装置１は、表示部２０に表示した画像を接触操作することで表示に対して操作するタッチモードと、当該画像表示装置１の全体を移動操作することで諸々の操作が可能なマウスモードの２つの操作モードで操作できる。
（２）画像表示装置１は、タッチモードとマウスモードの操作モードの切り換えが、表示部２０への接触状態に基づく判定によって行われるため、操作モードの切り換えが容易に行える。
【００４９】
以上、説明した実施形態に限定されることなく、以下に示すような種々の変形や変更が可能であり、それらも本発明の範囲内である。例えば、上記各実施形態における表示部２０の形状、タッチ操作検出部４０および移動量検出部５０の構成や、構成の組み合わせは、各実施形態に限定されるものではなく、適宜変更可能である。
【００５０】
なお、実施形態及び変形形態は、適宜組み合わせて用いることもできるが、詳細な説明は省略する。また、本発明は以上説明した実施形態によって限定されることはない。
【符号の説明】
【００５１】
１，２，３，４，５：画像表示装置、２：表示入力装置、２０：表示部、２１：表示板、２２：スクリーン、３０：画像投影部、４０：タッチ操作検出部、４１：検出光源、４２：検出光受光装置、６０：制御部、６４：接続端子、７０：圧力センサ、８０：音声生成部、８５：ディスプレイ、９０：移動規制機構、１０１：ディスプレイ、１０４：手、ＴＡ：接触領域
【図１】
2013117902.tif 000003
【図２】
2013117902.tif 000004
【図３】
2013117902.tif 000005
【図４】
2013117902.tif 000006
【図５】
2013117902.tif 000007
【図６】
2013117902.tif 000008
【図７】
2013117902.tif 000009